(57)【要約】【課題】設置空間の大きさに対応できるようにするケースの大きさを調整できるようにすること。【解決手段】便器１２の後部上側に着脱自在に固定され且つ前記便器の幅方向に延在するケース１４と、前記ケース１４に枢着された便座９４と、前記ケース１４内に収容された人体局部洗浄機構６０と、前記人体洗浄機構６０を操作する操作部２４とを備え、前記ケース１４の一方の側には前方に延在する張出部１６が着脱自在に固定可能とした。また、温水タンク５０からの放射熱で回路２０・３０の結露を防ぐようにした。【選択図】      図１
2004150075.tif 000002
【特許請求の範囲】
【請求項１】
便器の後部上側に固定され且つ前記便器の幅方向に延在するケースと、前記ケース内の一方側に配設された電磁弁と、前記ケース内の他方側に配設された温水タンクと、前記ケースの内の略中央部に位置し且つ前記便器内に延在するノズルを有する人体局部洗浄機構と、制御回路をして前記電磁弁を開いて給水源からの水圧を前記温水タンク内に供給せしめることにより前記温水タンク内の温水を押し出して前記ノズルから噴射せしめ、前記ケースとは別体のリモコンボックス及び前方に延在すべく前記ケースの一方側に着脱自在に固定された張出部のいずれかに収容される操作機構とを備え、前記制御回路を前記温水タンクに近接配置してなる、温水洗浄便座装置。
【発明の詳細な説明】
【０００１】
【発明の属する技術分野】
本発明は、温水洗浄便座装置に関する。
【０００２】
【従来の技術】
従来の温水洗浄便座装置は、便器の後部上側に固定されたケースと、前記ケースの一方の側と一体成型され且つ前方に延在する張出部と、前記ケースに枢着された便座と、前記ケース内に収容された人体局部洗浄機構と、前記張出部に設けられて前記人体洗浄機構を操作する操作部とを備える（例えば、特許文献１参照）。
【０００３】
【特許文献１】
特開平７−８２７７８号公報  （第２〜４頁、図１〜２）
【０００４】
【発明が解決しようとする課題】
ところが、かような温水洗浄便座装置のユーザーが転居し、転居先のトイレ空間内の便器に当該温水洗浄便座装置を設置しようとした場合、トイレ空間の大きさ如何では設置できないことがある。この場合、温水洗浄便座装置の買い替えを余儀なくされる危惧があった。それゆえ、本発明は、かような不具合が惹起されない温水洗浄便座装置を提供することを、その技術的課題とする。
【０００５】
【課題を解決するための手段】
上記した課題を解決するために講じた技術的手段は、「便器の後部上側に固定され且つ前記便器の幅方向に延在するケースと、前記ケース内の一方側に配設された電磁弁と、前記ケース内の他方側に配設された温水タンクと、前記ケースの内の略中央部に位置し且つ前記便器内に延在するノズルを有する人体局部洗浄機構と、制御回路をして前記電磁弁を開いて給水源からの水圧を前記温水タンク内に供給せしめることにより前記温水タンク内の温水を押し出して前記ノズルから噴射せしめ、前記ケースとは別体のリモコンボックス及び前方に延在すべく前記ケースの一方側に着脱自在に固定された張出部のいずれかに収容される操作機構とを備え、前記制御回路を前記温水タンクに近接配置してなる、温水洗浄便座装置」を構成したことである。
【０００６】
【発明の実施の形態】
以下、添付図面に依拠して、本発明にかかる温水洗浄便座装置の一実施形態について説明する。
【０００７】
図１〜図３において、温水洗浄便座装置１０は、便器１２の後部上面に固定されるケース１４を備える。ケース１４の中央膨出部１４Ａには便座９４及び便蓋９６が共通のピン（図示略）により枢着されている。ケース１４の一方側には、後述するように、張出部１６が着脱自在に固定されており、この張出部１６には操作部２４が一体的に設けられる。ケース１４内には、第１制御回路２０、第２制御回路３０、電磁弁４０、ヒータ５２により加熱された温水を貯溜する温水タンク５０及びノズル機構６０が配設されている。
【０００８】
ケース１４の内部の一方側に配置される電磁弁４０は、ホース４２を介して給水源４８と、ホース４４を介して温水タンク５０と、夫々、連結されている。操作部２４が操作されると、第１制御回路２０の作用により、電磁弁４０が開かれ、水圧が給水源４８から温水タンク５０内に導入される。すると、温水タンク５０内の温水が、切換弁６６を介して肛門洗浄用ノズル６２（ビデ洗浄ノズル６４）に押し出されて、肛門洗浄用ノズル６２（ビデ洗浄ノズル６４）を便器１２内に伸長し、この温水が、周知のように、肛門洗浄用ノズル６２（ビデ洗浄ノズル６４）から噴射されて、使用者の肛門（ビデ）を洗浄する。何れのノズルに温水が供給されるかは、操作部２４の押されたスイッチに依存する切換弁６６の作用位置による。
【０００９】
温水タンク５０は、ケース１４の内部の他方側に配置される。温水タンク５０内の水はヒータ５２により加熱される。水温は、温度センサ５４により常時、検知されており、当該温度が信号として、第２制御回路３０のＣＰＵ３２に送られる。ＣＰＵ３２は水温が所定値に達したら、トライアック３４を断続させて電源９０からヒータ２２への通電制御をなし、常時、水温を所定値に維持するようになっている。
【００１０】
図１を再度、参照すると、ケース１４内の一方側及び他方側には、夫々、電磁弁４０及び温水タンク５０が配設されている。電磁弁４０と温水タンク５０とを連結するホース４４は、ケース１４の長手方向（便器１２の幅方向）に、延在する。第１制御回路２０及び第２制御回路３０は、温水タンク５０に近接して配置される。しかして、温水タンク５０からは、内部に温水を貯溜していることから、外部に低くない温度の熱を放熱する。第１制御回路２０及び第２制御回路３０は、この放熱を受ける。また、第１制御回路２０及び第２制御回路３０は、温度が低い水が供給される電磁弁４０から離隔して配置され、電磁弁４０の周囲の冷気環境から、影響を受けないようになっている。かくて、第１制御回路２０及び第２制御回路３０は、温水タンク５０からの放射熱受容と電磁弁４０からの冷気の隔離により、結露の危惧から解放され、装置の信頼性が格段に向上する。
【００１１】
図４に依拠して、張出部１６とケース１４との連結構造について説明する。ケース１４は、便器１２側に固定されるベースプレート１４１とベースカバー１４３とから構成される。ベースカバー１４３の一方側にはスロット１４５が形成されており、このスロット１４５を介して、外部からＬ金具７０の水平部７２がケース１４内に延在し、ネジ８０により、ベースカバー１４３に固定される。Ｌ金具７０の垂直部７４には、ネジ８２により、ケース１４とは別体の張出部１６が固定されており、全体として、張出部１６が着脱自在に、ケース１４の一方側に固定される。
【００１２】
しかして、操作部２４が張出部１６内に設けられており、操作部２４のスイッチが張出部１６の上面から外部に露呈され、使用者により、操作される。いずれかのスイッチが押されると、信号がワイアレスで第１制御回路２０及び第２制御回路３０に送られ、上記した肛門洗浄及びビデ洗浄並びに他の作動がなされる。
【００１３】
張出部１６とケース１４との間の連結は、上記したネジ止めに代えて、図５に示されるように、張出部１６に形成された縦溝１６１内にＬ金具７０の垂直部７４を嵌着しても良いし、図６に示されるように、張出部１６に形成された横突起１６３をスロットを介してケース１４内に延在させ、ベースプレート１４１に固定されたブロック８６の穴８８内に嵌着させても良い。
【００１４】
上記したように、操作部２４を内包する張出部１６は着脱衣自在にケース１４に固定されているが、ユーザーの転居先のトイレ空間が狭小の場合は、張出部１６をケース１４から取り外し、温水洗浄便座装置１０を設置することができる。この場合、操作部２４は使用できないので、同等の機能を有するリモコン装置を用いて、操作を行うことになる。
【００１５】
更に、操作部２４をリモコン装置とし且つ張出部をケース１４に連結した態様を採用することも可能である。この場合、張出部に操作部２４を内包しないので、張出部は、例えば隠し金庫や足腰が弱い人が立ちあがる際の補助具として使用できる。
【００１６】
尚、ケース１４も張出部１６も樹脂成型で形成されるが、従来のように張出部が一体形成されたケース及び張出部のないケース（ケース単体）の双方を樹脂成型する場合と比べて、金型装置及び成型作業の簡素化・低コスト化が図れる。
【００１７】
以上、本発明の実施の形態について説明したが、本発明は上述した実施の形態に限定される意図はなく、本発明の趣旨に沿った形態の温水洗浄便座装置であれば、どのようなものでもよい。
【００１８】
【発明の効果】
請求項１の発明によれば、便器の後部上側に固定され且つ前記便器の幅方向に延在するケースと、前記ケース内の一方側に配設された電磁弁と、前記ケース内の他方側に配設された温水タンクと、前記ケースの内の略中央部に位置し且つ前記便器内に延在するノズルを有する人体局部洗浄機構と、制御回路をして前記電磁弁を開いて給水源からの水圧を前記温水タンク内に供給せしめることにより前記温水タンク内の温水を押し出して前記ノズルから噴射せしめ、前記ケースとは別体のリモコンボックス及び前方に延在すべく前記ケースの一方側に着脱自在に固定された張出部のいずれかに収容される操作機構とを備え、前記制御回路を前記温水タンクに近接配置してなる、温水洗浄便座装置を構成したので、次のような実用上、多大な効果を奏する。
【００１９】
（１）張出部をケースに固定した形態及びケースに張出部がない形態の何れかを適宜簡単に選択でき、便器が設置されているトイレ空間の大きさに対処できる。
（２）本発明の実施に際しては、張出部単体及びケース単体の双方を樹脂成型することになるが、張出部が一体形成されたケース及び張出部のないケース（ケース単体）の双方を樹脂成型する場合と比べて、金型装置及び成型作業の簡素化・低コスト化が図れる。
【００２０】
（３）操作部をリモコン装置とし且つ張出部をケースに連結した場合、この張出部を、例えば隠し金庫や足腰が弱い人が立ちあがる際の補助具として使用できる。
【００２１】
（４）制御回路を温水タンクに近接配置したので、温水タンクからの放熱により制御回路が温められて、結露防止となる。
【図面の簡単な説明】
【図１】本発明にかかる温水洗浄便座装置の一実施態様の平面図である。
【図２】図１の温水洗浄便座装置の側面図である。
【図３】図１の温水洗浄便座装置の制御系ブロック図である。
【図４】図１の温水洗浄便座装置におけるケースと張出部との連結構造の第１例を示す説明図である。
【図５】図１の温水洗浄便座装置におけるケースと張出部との連結構造の第２例を示す説明図である。
【図６】図１の温水洗浄便座装置におけるケースと張出部との連結構造の第３例を示す説明図である。
【符号の説明】
１２・・・便器
１４・・・ケース
１６・・・張出部
２０・・・第１制御回路
２４・・・操作部（操作機構）
３０・・・第２制御回路
【図１】
2004150075.tif 000003
【図２】
2004150075.tif 000004
【図３】
2004150075.tif 000005
【図４】
2004150075.tif 000006
【図５】
2004150075.tif 000007
【図６】
2004150075.tif 000008